(57)【要約】【課題】  装飾模様に自然界の木漏れ日に似た不規則に変化する光彩効果を発揮させるとともに装飾模様を可視領域の光の色で輝光表示でき、かつ変化に富んだ見栄えの良い光学的装飾が可能な装飾用パネルを提供する。【解決手段】  基材１１の光入射面１１ａに形成された装飾模様１２を、凹状の三次元形状を呈する複数の反射面１２１を基材１１の光入射面１１ａに沿い二次元方向に配列形成することで構成し、この複数の反射面１２１で反射されて基材１１の光入射面１１ａから外方へ出射する反射光の光彩及び輝度に１／ｆゆらぎに相当して不規則に変化する光の明暗模様を生じさせる。さらに、光学加飾層１３により、基材１１を透過して光学加飾層１３に入射される光のうち、特定波長の色の可視光を回折分離し、この回折光を用いて装飾模様１２の光の明暗模様を特定波長の色に着色するように構成した。【選択図】  図１
2010076203.tif 000002
【特許請求の範囲】
【請求項１】
厚さ方向の一方の面が光入射面とされ当該光入射面に装飾模様を有する光透過性の基材と、
前記基材の光入射面と反対の面に形成された光学加飾層とを備え、
前記装飾模様は、前記基材に入射される入射光を反射しまたは透過するとともに前記反射される光の光彩・輝度に不規則に変化する１／ｆゆらぎを与えて前記装飾模様に光の明暗模様を生じさせる三次元形状を呈する複数の反射面を前記光入射面に沿い二次元方向に配列形成することで構成され、
前記光学加飾層は、前記基材及び前記光学加飾層との界面を透過して前記光学加飾層に入射する入射光のうち、特定波長の色の可視光を回折して前記基材に向け反射することで前記装飾模様の光の明暗模様を前記特定波長の色に着色するように構成されている、
ことを特徴とする装飾用パネル。
【請求項２】
前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面に沿い二次元方向にランダムなピッチで配列されていることを特徴とする請求項１記載の装飾用パネル。
【請求項３】
前記光学加飾層は、低屈折の薄膜層と高屈折の薄膜層を交互に複数積層することで構成され、前記積層される薄膜層の屈折率と膜厚を変えることで特定波長の色の可視光を回折し該回折光が少なくとも前記装飾模様の箇所に向け反射されるように構成されていることを特徴とする請求項１記載の装飾用パネル。
【請求項４】
前記基材の光入射面及び該光入射面と反対の面の少なくとも前記装飾模様の箇所に光透過性の保護用コーティング層が設けられていることを特徴とする請求項１乃至３何れか１項記載の装飾用パネル。
【請求項５】
前記基材の光入射面と反対の面に、組み付け部品へ装着するための係合部が設けられていることを特徴とする請求項１乃至４の何れか１項記載の装飾用パネル。
【請求項６】
厚さ方向の一方の面が光入射面とされ当該光入射面に装飾模様を有する光透過性もしくは非光透過性の基材と、
少なくとも前記装飾模様を覆うように前記基材の光入射面に形成された光学加飾層とを備え、
前記装飾模様は、前記光学加飾層との界面である前記基材の光入射面に沿い二次元方向に配列形成された複数の反射面から構成され、
前記複数の反射面は、前記光学加飾層を透過して前記基材に入射される光を該入射光と反対の方向に反射するとともに当該反射される光の光彩・輝度に不規則に変化する１／ｆゆらぎを与えて前記装飾模様に光の明暗模様を生じさせる三次元形状を呈し、
前記光学加飾層は、該光学加飾層に外部から入射される光のうち、特定波長の色の可視光を回折して該回折光が前記光学加飾層の前記基材の光入射面と反対の側へ出射することで前記装飾模様の光の明暗模様を前記特定波長の色に着色するように構成されている、
ことを特徴とする装飾用パネル。
【請求項７】
前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面に沿い二次元方向にランダムなピッチで配列されていることを特徴とする請求項６記載の装飾用パネル。
【請求項８】
前記光学加飾層は、低屈折の薄膜層と高屈折の薄膜層を交互に複数積層することで構成され、前記積層される薄膜層の屈折率と膜厚を変えることで特定波長の色の可視光を回折し該回折光が前記光学加飾層の前記基材の光入射面と反対の側へ出射するように構成されていることを特徴とする請求項６記載の装飾用パネル。
【請求項９】
前記基材の光入射面及び該光入射面と反対の面の少なくとも前記光学加飾層を含む前記装飾模様の箇所に光透過性の保護用コーティング層が設けられていることを特徴とする請求項６乃至８の何れか１項記載の装飾用パネル。
【請求項１０】
前記基材の光入射面と反対の面に、組み付け部品へ装着するための係合部が設けられていることを特徴とする請求項６乃至９の何れか１項記載の装飾用パネル。
【発明の詳細な説明】
【技術分野】
【０００１】
本発明は、化粧品容器の蓋の装飾、車両用インストルメントパネルの装飾または家具の扉表面や引き出し用鏡板の装飾、携帯電話機本体の表面の装飾、電化製品の表面の装飾などに使用される装飾用パネルに関し、さらに詳しくは、光透過性基材に形成された装飾用の模様パターンを可視領域の色光を利用して任意の色で輝光表示できるようにした装飾用パネルに関するものである。
【背景技術】
【０００２】
従来の装飾用パネル、例えば自動車用装飾パネルとして、乗用車の後部端のリアコンビネーションランプ間に装着されるガーニッシュが知られている（特許文献１参照）。
【０００３】
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
【０００４】
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００５】
しかし、このような従来の装飾パネルは、細かい凹凸模様を有するカバーと、このカバーと対向する表面に形成した凹球状の魚眼にシルバーメタリック塗料を塗布してなるメタリック塗膜面を有する取付基材とから構成されるものであるため、乗用車のガーニッシュなどには好適であるものの、車両用インストルメントパネルの装飾または家具の扉表面や引き出し用鏡板の装飾、携帯電話機本体の表面の装飾などに用いられる装飾パネルには不向きである。なぜならば、装飾パネルはカバーと取付基材とを空間を介して対向配置される構造であるため、装飾パネル自体が厚くなって薄型化できないほか、装飾パネルの構成部品点数が多くなり、コスト高になるという問題がある。
【０００６】
また、従来の装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００７】
本発明は上記のような従来の問題を解決するためになされたもので、光透過性基材に形成された装飾模様を可視領域の光を利用して任意の色で輝光表示できるとともに、変化に富んだ見栄えの良い光学的装飾を可能にし、併せて見る者の視覚に作用して、癒し、くつろぎ、または安らぎを与える光学的装飾効果を発揮できる装飾用パネルを提供することを目的とする。
【課題を解決するための手段】
【０００８】
上記の目的を達成するために請求項１の発明は、装飾用パネルであって、厚さ方向の一方の面が光入射面とされ当該光入射面に装飾模様を有する光透過性の基材と、前記基材の光入射面と反対の面に形成された光学加飾層とを備え、前記装飾模様は、前記基材に入射される入射光を反射しまたは透過するとともに前記反射される光の光彩・輝度に不規則に変化する１／ｆゆらぎを与えて前記装飾模様に光の明暗模様を生じさせる三次元形状を呈する複数の反射面を前記光入射面に沿い二次元方向に配列形成することで構成され、前記光学加飾層は、前記基材及び前記光学加飾層との界面を透過して前記光学加飾層に入射する入射光のうち、特定波長の色の可視光を回折して前記基材に向け反射することで前記装飾模様の光の明暗模様を前記特定波長の色に着色するように構成されていることを特徴とする。
【０００９】
請求項２の発明は、請求項１記載の装飾用パネルにおいて、前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面に沿い二次元方向にランダムなピッチで配列されていることを特徴とする。
【００１０】
請求項３の発明は、請求項１記載の装飾用パネルにおいて、前記光学加飾層は、低屈折の薄膜層と高屈折の薄膜層を交互に複数積層することで構成され、前記積層される薄膜層の屈折率と膜厚を変えることで特定波長の色の可視光を回折し該回折光が少なくとも前記装飾模様の箇所に向け反射されるように構成されていることを特徴とする。
【００１１】
請求項４の発明は、請求項１乃至３何れか１項記載の装飾用パネルにおいて、前記基材の光入射面及び該光入射面と反対の面の少なくとも前記装飾模様の箇所に光透過性の保護用コーティング層が設けられていることを特徴とする。
【００１２】
請求項５の発明は、請求項１乃至４の何れか１項記載の装飾用パネルにおいて、前記基材の光入射面と反対の面に、組み付け部品へ装着するための係合部が設けられていることを特徴とする。
【００１３】
請求項６の発明は、装飾用パネルであって、厚さ方向の一方の面が光入射面とされ当該光入射面に装飾模様を有する光透過性もしくは非光透過性の基材と、少なくとも前記装飾模様を覆うように前記基材の光入射面に形成された光学加飾層とを備え、前記装飾模様は、前記光学加飾層との界面である前記基材の光入射面に沿い二次元方向に配列形成された複数の反射面から構成され、前記複数の反射面は、前記光学加飾層を透過して前記基材に入射される光を該入射光と反対の方向に反射するとともに当該反射される光の光彩・輝度に不規則に変化する１／ｆゆらぎを与えて前記装飾模様に光の明暗模様を生じさせる三次元形状を呈し、前記光学加飾層は、該光学加飾層に外部から入射される光のうち、特定波長の色の可視光を回折して該回折光が前記光学加飾層の前記基材の光入射面と反対の側へ出射することで前記装飾模様の光の明暗模様を前記特定波長の色に着色するように構成されていることを特徴とする。
【００１４】
請求項７の発明は、請求項６記載の装飾用パネルにおいて、前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面に沿い二次元方向にランダムなピッチで配列されていることを特徴とする。
【００１５】
請求項８の発明は、請求項６記載の装飾用パネルにおいて、前記光学加飾層は、低屈折の薄膜層と高屈折の薄膜層を交互に複数積層することで構成され、前記積層される薄膜層の屈折率と膜厚を変えることで特定波長の色の可視光を回折し該回折光が前記光学加飾層の前記基材の光入射面と反対の側へ出射するように構成されていることを特徴とする。
【００１６】
請求項９の発明は、請求項６乃至８の何れか１項記載の装飾用パネルにおいて、前記基材の光入射面及び該光入射面と反対の面の少なくとも前記光学加飾層を含む前記装飾模様の箇所に光透過性の保護用コーティング層が設けられていることを特徴とする。
【００１７】
請求項１０の発明は、請求項６乃至９の何れか１項記載の装飾用パネルにおいて、前記基材の光入射面と反対の面に、組み付け部品へ装着するための係合部が設けられていることを特徴とする。
【発明の効果】
【００１８】
本発明の装飾用パネルにおいては、基材の光入射面に形成された装飾模様が、三次元形状を呈する複数の反射面を基材の光入射面に沿い二次元方向に配列形成することで構成され、この複数の反射面で反射されて基材の光入射面から外方へ出射する反射光の光彩及び輝度に１／ｆゆらぎに相当して不規則に変化する光の明暗模様を生じさせる。そして、光学加飾層により、基材を透過して光学加飾層に入射される光のうち、特定波長の色の可視光を回折し、該回折光を基材に向け反射することで装飾模様の光の明暗模様を特定波長の色に着色する。
【００１９】
よって、本発明によれば、基材に形成された装飾模様に生じる光の明暗模様に自然界の木漏れ日に似た不規則に変化する光彩効果を発揮させることができるとともに装飾模様を可視領域の色に着色して輝光表示でき、併せて見る者の視覚に作用して、癒し、くつろぎ、または安らぎを与える光学的装飾効果を発揮できる。
【００２０】
また、本発明の装飾用パネルにおいては、基材の光入射面に形成された装飾模様が、三次元形状を呈する複数の反射面を基材の光入射面に沿い二次元方向に配列形成することで構成され、この複数の反射面で反射されて基材の光入射面から外方へ出射する反射光の光彩及び輝度に１／ｆゆらぎに相当して不規則に変化する光の明暗模様を生じさせる。そして、装飾模様を覆うように基材の光入射面に形成された光学加飾層により、光学加飾層に外部から入射される光のうち、特定波長の色の可視光を回折し、この回折光を光学加飾層の基材の光入射面と反対の側へ出射することにより装飾模様の光の明暗模様を特定波長の色に着色する。
【００２１】
よって、本発明によれば、基材に形成された装飾模様に生じる光の明暗模様に自然界の木漏れ日に似た不規則に変化する光彩効果を発揮させることができるとともに装飾模様を可視領域の色に着色して輝光表示でき、併せて見る者の視覚に作用して、癒し、くつろぎ、または安らぎを与える光学的装飾効果を発揮できる。
【００２２】
また、本発明の装飾用パネルによれば、基材の光入射面及び光入射側の面と反対の面の少なくとも装飾模様の箇所をコーティング層で覆うようにしたので、装飾模様の箇所または基材及び／または光学加飾層を保護することができる。
【００２３】
また、本発明の装飾用パネルによれば、基材の光入射面と反対の面に、組み付け部品へ装着するための係合部が設けられているので、この係合部を利用して、組み付け部品に対し装飾模様の異なる装飾用パネルを付け替えることができる。
【発明を実施するための最良の形態】
【００２４】
次に、本発明にかかる装飾用パネルの実施の形態について図面を参照して説明する。なお、本発明の装飾用パネルは、以下に説明する実施の形態に限定されるものではない。
（実施の形態１）
図１は本発明を宝石箱の蓋などに適用した場合の一例を示す装飾用パネルの平面図、図２は図１の２−２線に沿う拡大断面図、図３は本実施の形態１における装飾用パネル用基材を光入射面側から見た時の装飾模様用反射部の一例を示す一部の拡大斜視図、図４は図３の４−４線に沿う基材の一部を拡大して示した断面図、図５は図３の５−５線に沿う箇所の基材の一部を拡大して示す断面図、図６は本実施の形態１における装飾用パネルの反射部及び光学加飾層の光に対する作用を模式的に示す断面図である。
【００２５】
本実施の形態１に示す装飾用パネル１０は、図１及び図２に示すように、アクリルやポリカーボネートなどの無色透明もしくは有色透明な合成樹脂材または無色透明もしくは有色透明なガラス等の光透過性の部材からなる一定厚さの板状の基材１１を備える。
【００２６】
この基材１１の光入射側の面（表面）１１ａには、例えばモルフォ蝶をデザイン化してなる装飾模様１２が形成されている。さらに、基材１１の光入射側の面（表面）１１ａと反対の面である裏面１１ｂには、装飾用パネル１０全体を特定波長の可視光で着色してカラー表示する光学加飾層１３が裏面１１ｂの全域に形成されている。
【００２７】
なお、装飾用パネル１０の照明光１５には、各種照明灯の光または太陽光等の自然光などが用いられる。
【００２８】
装飾模様１２は、図２及び図３に示すように、基材１１の光入射面１１ａに、三角屋根型の三次元形状を呈する複数の反射面１２１を光入射面１１ａに沿いランダムなピッチで配列形成することで構成される。これにより、反射面１２１を基材１１の光入射面１１ａ側から見た場合、反射面１２１の空気との界面１２１ａは、図４及び図５に示すように、凹状の三次元形状を呈することになる。
【００２９】
このような反射面１２１は、基材１１にその光入射面１１ａ側から入射された入射光１５を反射または透過するとともに当該反射する光の光彩・輝度に１／ｆゆらぎに相当して不規則に変化する光の明暗模様を生成し、装飾模様１２に光の明暗模様を付けるためのものである。
【００３０】
光学加飾層１３は、図６に示すように、低屈折の薄膜層１３１と高屈折の薄膜層１３２を交互に複数、例えば５〜１０層積層することで構成される。
【００３１】
このような構造の光学加飾層１３は、積層される薄膜層１３１、１３２の屈折率と膜厚を変えることで特定波長の色の光を回折し、光学加飾層１３と反対の基材１１の裏面１１ｂに向けて反射する回折機能を備えている。
【００３２】
次に、複数の反射面１２１で生成される反射光の光彩・輝度に不規則に変化する明暗を生じさせる場合の具体例について図３〜図５を参照して説明する。
【００３３】
反射面１２１は、図３に示すように、三角屋根型の基本形状を呈し、この基本形状に１／ｆゆらぎを生じさせるのに必要な凹状の三次元形状を付与することにより構成される。この凹状の反射面１２１は、空気との界面１２１ａでの反射による光彩・輝度に木漏れ日または小川の水の流れで反射するせせらぎ反射光に似た不規則に変化する光の明暗模様を生じせるものであり、その明暗模様のパターンは数１に示す１／ｆゆらぎ関数ｆ（ｘ）より決定される。
【００３４】
【数１】
2010076203.tif 000003
但し、２ｉｘ：周波数、２−ｉ：振幅（強さ）、ｘ：位置
すなわち、１／ｆゆらぎ関数ｆ（ｘ）で決定される反射面１２１は、周波数の違う複数のサイン曲線（２ｉｘ：周波数）に適当な係数２−ｉ（振幅（強さ））をかけて加算した形状となる。これをグラフに表すと図7に示す曲線７１１のようになる。
【００３５】
なお、符号７１２は周波数の異なる複数のサイン曲線を示す。また、１／ｆは、１／ｆゆらぎ関数ｆ（ｘ）を決める周波数成分の強さ、すなわち振幅が周波数ｆに反比例する式を表している。
【００３６】
上記反射面１２１は、図３に示すように、予め決めた一定の間隔Ｌ（０＜Ｌ＜１０ｍｍ）で行、列方向に連続して配列され、そして、互いに隣接する各行の反射面１２１ｃは列方向に１Ｌ分ずらして配列されている。また、凹状の反射面１２１の深さｈは、図４及び図５に示すように、０≦ｈ≦２０ｍｍの範囲に設定される。また、図４及び図５に示すように、列方向の反射面１２１の反射角θ１及び行方向の反射面１２１の反射角θ２は、０≦θ２≦９０°の範囲に設定される。
【００３７】
このような本実施の形態１に示す装飾用パネル１０において、図２及び図６に示すように、基材１１の光入射側の面（表面）１１ａが照明光１５により照射されると、この照明光１５の一部は図６に示すように入射光１５ａとなって基材１１内を進行するとともに、照明光１５の他の光は、１／ｆゆらぎ関数ｆ（ｘ）より決定された凹状の反射面１２１の形状に応じて矢印１５ｂのように凹状の反射面１２１によって基材１１の表面１１ａから離間する方向へ反射される。これにより、反射光１５ｂの光彩・輝度に１／ｆゆらぎ関数ｆ（ｘ）に応じて不規則に変化する光の明暗模様を生じさせるとともに光波長のシフトによる色収差を生じさせる。
【００３８】
また、基材１１の表面１１ａから侵入した光及び各反射面１２１の空気との界面１２１ａを透過した光は基材１１内を進行し、基材１１と光学加飾層１３の界面を透過して光学加飾層１３に入射する。この入射光１５ｃのうち、光学加飾層１３の屈折率と膜厚で決定される特定波長の色の光、例えば青色の波長に相当する光が光学加飾層１３で回折分離され、反射面１２１に向け反射される。これにより、装飾用パネル１０の表面には、図１に示すように、モルフォ蝶をデザイン化してなる装飾模様１２が表示されるとともに、複数の反射面１２１により不規則に変化する反射光によって装飾模様１２に光の明暗模様を生じさせ、さらに、この光の明暗模様は光学加飾層１３で回折分離された可視光により、例えば青色に着色される。
【００３９】
上記のような本実施の形態１に示す装飾用パネル１０によれば、基材１１の光入射面１１ａに形成された装飾模様１２を、凹状の三次元形状を呈する複数の反射面１２１を基材１１の光入射面１１ａに沿い二次元方向に配列形成することで構成し、この複数の反射面１２１で反射されて基材１１の光入射面１１ａから外方へ出射する反射光の光彩及び輝度に１／ｆゆらぎに相当して不規則に変化する光の明暗模様を生じさせ、さらに、光学加飾層１３により、基材１１を透過して光学加飾層１３に入射される光のうち、特定波長の色の可視光を回折分離し、この回折光を光学加飾層１３と反対の基材１１の光入射面１１ａから外方に向け反射することで装飾模様１２の光の明暗模様を特定波長の色に着色するように構成したので、基材１１に形成された装飾模様１２に生じる光の明暗模様に自然界の木漏れ日に似た不規則に変化する光彩効果を発揮させることができるとともに、装飾模様１２を可視領域の色に着色して輝光表示でき、併せて見る者の視覚に作用して、癒し、くつろぎ、または安らぎを与える光学的装飾効果を発揮させることができる。
（実施の形態２）
次に、本発明にかかる装飾用パネルの実施の形態２について、図８〜図１３を参照して説明する。
【００４０】
図８は本発明にかかる実施の形態２を示す装飾用パネルの平面図、図９は図８の９−９線に沿う拡大断面図、図１０は本実施の形態２における装飾用パネルのコーティング層及び光学加飾層を取り除いて反射面を光入射側から見た時の一例を示す一部の拡大斜視図、図１１は図１０の１１−１１線に沿う箇所を拡大して示す断面図、図１２は図１０の１２−１２線に沿う箇所を拡大して示す断面図、図１３は本実施の形態２における装飾用パネルの反射面及び光学加飾層の光に対する作用を模式的に示す断面図である。
【００４１】
本実施の形態２に示す装飾用パネル２０は、図８及び図９に示すように、アクリルやポリカーボネートなどの無色透明もしくは有色透明な合成樹脂材または無色透明もしくは有色透明なガラス等の光透過性の部材からなる一定厚さの板状の基材２１を備える。
【００４２】
この基材２１の光入射側の面（表面）２１ａには、例えばモルフォ蝶をデザイン化してなる装飾模様２２が形成されている。さらに、基材２１の光入射面２１ａと反対の裏面２１ｂには、化粧品容器の蓋や携帯電話機本体などの組み付け部品２４の表面に設けた凸状の装着部２４ａに係脱可能に装着される凹状の係合部２５が形成されている。
【００４３】
また、装飾模様２２を含めた基材２１全体を特定波長の可視光で着色してカラー表示するための光学加飾層２３が、基材２１の光入射面２１ａと反対の裏面２１ｂ及び係合部２５の全域を覆うように形成されている。さらに、装飾模様２２を含めた基材２１の光入射面２１ａ及び光学加飾層２３の外表面は、これら装飾模様２２、基材２１及び光学加飾層２３を保護するための光透過性のコーティング層２６により覆われている。
【００４４】
なお、組み付け部品２４の凸状装着部２４ａの大きさは、装飾模様２２及びコーティング層２６が形成された後の凹状係合部２５の外形寸法に合わせて形成される。
【００４５】
また、装飾用パネル２０の照明光１５には、各種照明灯の光または太陽光等の自然光などが用いられる。
【００４６】
装飾模様２２は、図９及び図１０に示すように、基材２１の光入射面２１ａに、三角屋根型の三次元形状を呈する複数の反射面２２１を光入射面２１ａに沿いランダムなピッチで配列形成することで構成される。これにより、反射面２２１を基材２１の光入射面２１ａ側から見た場合、反射面２２１の空気との界面２２１ａは、図１１及び図１２に示すように、凹状の三次元形状を呈することになる。
【００４７】
このような反射面２２１は、基材２１にその光入射面２１ａ側から入射された入射光１５を反射または透過するとともに当該反射する光の光彩・輝度に１／ｆゆらぎに相当して不規則に変化する光の明暗模様を生成し、装飾模様２２に光の明暗模様を付けるためのものである。
【００４８】
光学加飾層２３は、図１３に示すように、低屈折の薄膜層２３１と高屈折の薄膜層２３２を交互に複数、例えば５〜１０層積層することで構成される。
【００４９】
このような構造の光学加飾層２３は、積層される薄膜層２３１、２３２の屈折率と膜厚を変えることで特定波長の色の光を回折し、光学加飾層２３と反対の基材２１の裏面２１ｂに向けて反射する回折機能を備えている。
【００５０】
次に、複数の反射面２２１で生成される反射光の光彩・輝度に不規則に変化する明暗を生じさせる場合の具体例について、図１０〜図１２を参照して説明する。
【００５１】
反射面２２１は、図１０に示すように、三角屋根型の基本形状を呈し、この基本形状に１／ｆゆらぎを生じさせるのに必要な凹状の三次元形状を付与することにより構成される。この凹状の反射面２２１は、コーティング層２６を通して空気との界面２２１ａでの反射による光彩・輝度に木漏れ日または小川の水の流れに似た不規則に変化する光の明暗模様を生じさせるものであり、その明暗模様のパターンは、上記数１に示す１／ｆゆらぎ関数ｆ（ｘ）より決定される。
【００５２】
すなわち、１／ｆゆらぎ関数ｆ（ｘ）で決定される凹状反射面２２１ａは、周波数の違う複数のサイン曲線（２ｉｘ：周波数）に適当な係数２−ｉ（２−ｉ：振幅）をかけて加算した形状となる。
【００５３】
上記反射面２２１は、図１１〜図１３に示すように、予め決めた一定の間隔Ｌ（０＜Ｌ＜１０ｍｍ）で行、列方向に連続して配列され、そして、互いに隣接する各行の反射面２２１ｃは列方向に１Ｌ分ずらして配列されている。また、凹状反射面２２１ａの深さｈは、０≦ｈ≦２０ｍｍの範囲に設定される。また、図１１及び図１２に示すように、列方向の反射面２２１の反射角θ１及び行方向の反射面２２１の反射角θ２は、０≦θ２≦９０°の範囲に設定される。
【００５４】
このような本実施の形態２に示す装飾用パネル２０において、図９に示すように、基材２１の光入射２１ａが照明光１５により照射されると、この照明光１５は図１３に示すように入射光１５ａとなってコーティング層２６を透過し基材２１内を進行するとともに、１／ｆゆらぎ関数ｆ（ｘ）より決定された凹状の反射面２２１の形状に応じて矢印１５ｂのように凹状の反射面２２１ａによりコーティング層２６を通して基材２１から離間する方向へ反射される。これにより、反射光１５ｂの光彩・輝度に１／ｆゆらぎ関数ｆ（ｘ）に応じて不規則に変化する光の明暗模様を生じさせるとともに光波長のシフトによる色収差を生じさせる。
【００５５】
また、基材２１の光入射面２１ａから侵入した光及び各反射面２２１のコーティング層２６を透過した光は基材２１内を進行し、基材２１と光学加飾層２３の界面を透過して光学加飾層２３に入射するする。この入射光１５ｃのうち、光学加飾層２３の屈折率と膜厚で決定される特定波長の色の光、例えば青色の波長に相当する光が光学加飾層２３で回折分離され、反射面２２１に向け反射される。これにより、装飾用パネル２０の表面には、図８に示すように、モルフォ蝶をデザイン化してなる装飾模様２２が表示されるとともに、複数の反射面２２１により不規則に変化する反射光によって装飾模様２２に光の明暗模様を生じさせ、さらに、この光の明暗模様は光学加飾層２３で回折分離された可視光により、例えば青色に着色される。
【００５６】
上記のような本実施の形態２に示す装飾用パネル２０によれば、基材２１の光入射面２１ａに形成された装飾模様２２を、凹状の三次元形状を呈する複数の反射面２２１を基材２１の光入射面２１ａに沿い二次元方向に配列形成することで構成し、この複数の反射面２２１で反射されて基材２１の光入射面２１ａから外方へ出射する反射光の光彩及び輝度に１／ｆゆらぎに相当して不規則に変化する光の明暗模様を生じさせ、さらに、光学加飾層２３により、基材２１を透過して光学加飾層２３に入射される光のうち、特定波長の色の可視光を回折分離し、この回折光を光学加飾層２３と反対の基材２１の光入射面２１ａからコーティング層２６を通して外方に向け反射することで装飾模様２２の光の明暗模様を特定波長の色に着色するように構成したので、基材２１に形成された装飾模様２２に生じる光の明暗模様に自然界の木漏れ日に似た不規則に変化する光彩効果を発揮させることができるとともに、装飾模様２２を可視領域の色に着色して輝光表示でき、併せて見る者の視覚に作用して、癒し、くつろぎ、または安らぎを与える光学的装飾効果を発揮させることができる。
【００５７】
また、本実施の形態２によれば、装飾模様２２を含む基材２１の表面及び光学加飾層２３をコーティング層２６によって保護することができる。
【００５８】
また、本実施の形態２によれば、基材２１の光入射面２１ａと反対の面２１ｂに、組み付け部品２４へ装着するための係合部２５が設けられているので、この係合部２５を利用して、組み付け部品２４に対し装飾模様の異なる装飾用パネル２０に容易に付け替えることができる。
（実施の形態３）
次に、本発明にかかる装飾用パネルの実施の形態３について、図１４〜図１９を参照して説明する。
【００５９】
図１４は本発明にかかる実施の形態３を示す装飾用パネルの平面図、図１５は図１４の１５−１５線に沿う拡大断面図、図１６は本実施の形態３における装飾用パネルのコーティング層及び光学加飾層を取り除いて反射面を光入射側から見た時の一例を示す一部の拡大斜視図、図１７は図１６の１７−１７線に沿う箇所を拡大して示す断面図、図１８は図１６の１８−１８線に沿う箇所を拡大して示す断面図、図１９は本実施の形態３における装飾用パネルの反射面及び光学加飾層の光に対する作用を模式的に示す断面図である。
【００６０】
本実施の形態３に示す装飾用パネル３０は、図１４及び図１５に示すように、アクリルやポリカーボネートなどの無色透明もしくは有色透明な合成樹脂材または無色透明もしくは有色透明なガラス等の光透過性の部材、あるいは非透光性の部材からなる一定厚さの板状の基材３１を備える。
【００６１】
この基材３１の光入射面（表面）３１ａには、例えばモルフォ蝶をデザイン化してなる装飾模様３２が形成されている。さらに、基材３１の光入射面３１ａと反対の裏面３１ｂには、化粧品容器の蓋や携帯電話機本体などの組み付け部品３４の表面に設けた凸状の装着部３４ａに係脱可能に装着される凹状の係合部３５が形成されている。
【００６２】
また、基材３１の光入射面３１ａ及び装飾模様３２の表面には、装飾模様３２を含めた基材３１全体を特定波長の可視光で着色してカラー表示するための光学加飾層３３が形成されている。さらに、光学加飾層３３の外表面及び基材３１の裏面３１ｂを含めた係合部３５の外表面は、装飾模様３２、基材３１及び光学加飾層３３を保護するための光透過性のコーティング層３６により覆われている。
【００６３】
なお、組み付け部品３４の凸状装着部３４ａの大きさは、コーティング層３６が形成された後の凹状係合部３５の外形寸法に合わせて形成される。
【００６４】
また、装飾用パネル３０の照明光１５には、各種照明灯の光または太陽光等の自然光などが用いられる。
【００６５】
装飾模様３２は、図１５及び図１６に示すように、基材３１の光入射面３１ａに、三角屋根型の三次元形状を呈する複数の反射面３２１を光入射面３１ａに沿いランダムなピッチで配列形成することで構成される。これにより、反射面３２１を基材３１の光入射面３１ａ側から見た場合、反射面３２１の空気との界面３２１ａは、図１７及び図１８に示すように、凹状の三次元形状を呈することになる。
【００６６】
このような反射面３２１は、コーティング層３６及び光学加飾層３３を通して基材３１に入射された入射光１５を反射または透過するとともに当該反射する光の光彩・輝度に１／ｆゆらぎに相当して不規則に変化する光の明暗模様を生成し、装飾模様３２に光の明暗模様を付けるためのものである。
【００６７】
光学加飾層３３は、図１９に示すように、低屈折の薄膜層３３１と高屈折の薄膜層３３２を交互に複数、例えば５〜１０層積層することで構成される。
【００６８】
このような構造の光学加飾層３３は、積層される薄膜層３３１、３３２の屈折率と膜厚を変えることで特定波長の色の光を回折し、光学加飾層３３と反対のコーティング層３６の外方に向けて再反射する回折機能を備えている。
【００６９】
次に、反射面３２１で生成される反射光の光彩・輝度に不規則に変化する光の明暗模様を生じさせる場合について、図１６〜図１８を参照して説明する。
【００７０】
反射面３２１は、図１６に示すように、三角屋根型の基本形状を呈し、この基本形状に１／ｆゆらぎを生じさせるのに必要な凹状の三次元形状を付与することにより構成される。この凹状の反射面３２１は、コーティング層３６及び光学加飾層３３を通して光学加飾層３３との界面３２１ａでの反射による光彩・輝度に木漏れ日または小川の水の流れに似た不規則に変化する光の明暗模様を生じさせるものであり、その明暗模様のパターンは、上記数１に示す１／ｆゆらぎ関数ｆ（ｘ）より決定される。
【００７１】
すなわち、１／ｆゆらぎ関数ｆ（ｘ）で決定される凹状の反射面３２１は、周波数の違う複数のサイン曲線（２ｉｘ：周波数）に適当な係数２−ｉ（２−ｉ：振幅）をかけて加算した形状となる。
【００７２】
上記反射面３２１は、図１７〜図１９に示すように、予め決めた一定の間隔Ｌ（０＜Ｌ＜１０ｍｍ）で行、列方向に連続して配列され、そして、互いに隣接する各行の反射面３２１ｃは列方向に１Ｌ分ずらして配列されている。また、凹状の反射面３２１の深さｈは、０≦ｈ≦２０ｍｍの範囲に設定される。また、図１７及び図１８に示すように、列方向の反射面３２１の反射角θ１及び行方向の反射面３２１の反射角θ２は、０≦θ２≦９０°の範囲に設定される。
【００７３】
このような本実施の形態３に示す装飾用パネル３０において、図１５に示すように、装飾用パネル３０がコーティング３６の上方から照明光１５により照射されると、この照明光１５は図１９に示すように入射光１５ａとなってコーティング３６及び光学加飾層３３を透過し各反射面３２１の界面３２１ａに達する．そして、反射面３２１の界面３２１ａに達した入射光１５ａの一部は、１／ｆゆらぎ関数ｆ（ｘ）より決定された反射面３２１の形状に応じ矢印１５ｂのように、光学加飾層３３及びコーティング３６を通して基材３１と反対の方向へ反射される。これにより、反射光１５ｂの光彩・輝度に１／ｆゆらぎ関数ｆ（ｘ）に応じて不規則に変化する光の明暗模様を生じさせるとともに光波長のシフトによる色収差を生じさせる。
【００７４】
また、光学加飾層３３に入射する入射光１５ａのうち、光学加飾層３３の屈折率と膜厚で決定される特定の色の光、例えば青色の波長に相当する光が光学加飾層３３で回折分離されて光学加飾層３３の表面からコーティング３６を通して外方へ向け反射される。これにより、装飾用パネル３０の表面には、図１４に示すように、モルフォ蝶をデザイン化してなる装飾模様３２が表示されるとともに、複数の反射面３２１により不規則に変化する反射光によって装飾模様３２に光の明暗模様を生じさせ、さらに、この光の明暗模様は光学加飾層３３で回折分離された可視光により、例えば青色に着色される。
【００７５】
上記のような本実施の形態３に示す装飾用パネル３０によれば、基材３１の光入射面３１ａに形成された装飾模様３２を、凹状の三次元形状を呈する複数の反射面３２１を基材３１の光入射面３１ａに沿い二次元方向に配列形成することで構成し、この複数の反射面３２１で反射されて光学加飾層３３及びコーティング３６を介し基材３１と反対の方向へ出射する反射光の光彩及び輝度に１／ｆゆらぎに相当して不規則に変化する光の明暗模様を生じさせ、さらに、光学加飾層３３により、光学加飾層３３に入射される光のうち、特定波長の色の可視光を回折分離し、この回折光を光学加飾層３３と反対のコーティング層３６を通して外方に向け反射することで装飾模様３２の光の明暗模様を特定波長の色に着色するように構成したので、基材３１に形成された装飾模様３２に生じる光の明暗模様に自然界の木漏れ日に似た不規則に変化する光彩効果を発揮させることができるとともに、装飾模様３２を可視領域の色に着色して輝光表示でき、併せて見る者の視覚に作用して、癒し、くつろぎ、または安らぎを与える光学的装飾効果を発揮させることができる。
【００７６】
また、本実施の形態３によれば、装飾模様３２を含む基材３１の表面及び光学加飾層３３をコーティング層３６によって保護することができる。
【００７７】
また、本実施の形態３によれば、基材３１の光入射面３１ａと反対の面３１ｂに、組み付け部品３４へ装着するための係合部３５が設けられているので、この係合部３５を利用して、組み付け部品３４に対し装飾模様の異なる装飾用パネル３０に容易に付け替えることができる。
【００７８】
なお、上記実施の形態では、基材に無色透明な材質または不透明な材質により形成した場合について説明したが、本発明はこれに限らず、基材を有色透明な材質で成形することも可能である。この場合、装飾用パネルの見栄えを色彩の面から強調することができる。
【００７９】
また、本発明にかかる装飾用パネルの反射面を形成する三次元の凹状反射面は、上記実施の形態に示した三角屋根型のものに限らず、反射面での反射光の輝度に不規則に変化する明暗を生じさせることができる形状のものであれば、どのような形状のものでも良い。例えば、台形屋根型、半球屋根型、半楕円球屋根型等の同一深さまたは深さの異なる凹状の三次元形状及び／または同一高さまたは高さの異なる凸状の三次元形状を呈する構造のものでもよい。
【００８０】
また、本発明にかかる装飾用パネルの反射面を形成する三次元の凹状反射面は、数１に示す１／ｆゆらぎ関数で決定される形状のものに限らず、乱数表を利用して凹状反射面の形状を決定するようにすることもできる。
【００８１】
また、本発明の装飾用パネルに形成される装飾模様は、上記実施の形態に示したモルフォ蝶をデザイン化したものに限らず、車両用インストルメントルパネルの装飾または家具の扉表面や引き出し用鏡板の装飾、携帯電話本体の表面の装飾、電化製品の表面の装飾などに使用される装飾パネルや、文字、ロゴマーク、木目などをデザイン化したものであってもよい。
【図面の簡単な説明】
【００８２】
【図１】本発明を宝石箱の蓋などに適用した場合の一例を示す装飾用パネルの平面図である。
【図２】図１の２−２線に沿う拡大断面図である。
【図３】本実施の形態１における装飾用パネル用基材を光入射面側から見た時の装飾模様用反射部の一例を示す一部の拡大斜視図である。
【図４】図３の４−４線に沿う基材の一部を拡大して示す断面図である。
【図５】図３の５−５線に沿う箇所の基材の一部を拡大して示す断面図である。
【図６】本実施の形態１における装飾用パネルの反射部及び光学加飾層の光に対する作用を模式的に示す断面図である。
【図７】本発明の１／ｆゆらぎ関数で決定される凹状反射面の形状特性を表した場合の一例を示すグラフである。
【図８】本発明にかかる実施の形態２を示す装飾用パネルの平面図である。
【図９】図８の９−９線に沿う拡大断面図である。
【図１０】本実施の形態２における装飾用パネルのコーティング層及び光学加飾層を取り除いて反射面を光入射側から見た時の一例を示す一部の拡大斜視図である。
【図１１】図１０の１１−１１線に沿う箇所を拡大して示す断面図である。
【図１２】図１０の１２−１２線に沿う箇所を拡大して示す断面図である。
【図１３】本実施の形態２における装飾用パネルの反射面及び光学加飾層の光に対する作用を模式的に示す断面図である。
【図１４】本発明にかかる実施の形態３を示す装飾用パネルの平面図である。
【図１５】図１４の１５−１５線に沿う拡大断面図である。
【図１６】本実施の形態３における装飾用パネルのコーティング層及び光学加飾層を取り除いて反射面を光入射側から見た時の一例を示す一部の拡大斜視図である。
【図１７】図１６の１７−１７線に沿う箇所を拡大して示す断面図である。
【図１８】図１６の１８−１８線に沿う箇所を拡大して示す断面図である。
【図１９】本実施の形態３における装飾用パネルの反射面及び光学加飾層の光に対する作用を模式的に示す断面図である。
【符号の説明】
【００８３】
１０，２０，３０      装飾パネル
１１，２１，３１      基材
１１ａ，２１ａ，３１ａ      光入射面（表面）
１１ｂ，２１ｂ，３１ｂ      裏面
１２，２２，３２      装飾模様
１２１，２２１，３２１      反射面
１２１ａ，２２１ａ，３２１ａ      界面
１３，２３，３３      光学加飾層
１３１，２３１，３３１      低屈折の薄膜層
１３２，２３２，３３２      高屈折の薄膜層
２４，３４      組み付け部品
２４ａ，３４ａ      装着部
２５，３５      係合部
２６，３６      コーティング層
【図１】
2010076203.tif 000004
【図２】
2010076203.tif 000005
【図３】
2010076203.tif 000006
【図４】
2010076203.tif 000007
【図５】
2010076203.tif 000008
【図６】
2010076203.tif 000009
【図７】
2010076203.tif 000010
【図８】
2010076203.tif 000011
【図９】
2010076203.tif 000012
【図１０】
2010076203.tif 000013
【図１１】
2010076203.tif 000014
【図１２】
2010076203.tif 000015
【図１３】
2010076203.tif 000016
【図１４】
2010076203.tif 000017
【図１５】
2010076203.tif 000018
【図１６】
2010076203.tif 000019
【図１７】
2010076203.tif 000020
【図１８】
2010076203.tif 000021
【図１９】
2010076203.tif 000022